【手続補正書】
【提出日】平成23年4月13日(2011.4.13)
【手続補正１】
【補正対象書類名】明細書
【補正対象項目名】発明の名称
【補正方法】変更
【補正の内容】
【発明の名称】電子機器及びその生産方法、リモコン装置の生産方法
【手続補正２】
【補正対象書類名】特許請求の範囲
【補正対象項目名】全文
【補正方法】変更
【補正の内容】
【特許請求の範囲】
【請求項１】
照明装置を有する電子機器の生産方法であって、
（Ａ）第１の光センサを作製する工程と、
（Ｂ）第２の光センサを作製する工程と、
（Ｃ）制御プログラムが記録されていない記録媒体を有する前記電子機器を作製する工程と、
（Ｄ）前記第１の光センサ又は第２の光センサのいずれか一方を前記電子機器に取り付ける工程と、
（Ｅ）前記（Ｄ）において、前記第１の光センサが取り付けられた場合に、前記記録媒体に第１の制御プログラムを記録する工程と、
（Ｆ）前記（Ｄ）において、前記第２の光センサが取り付けられた場合に、前記記録媒体に第２の制御プログラムを記録する工程と、を有し、
（Ｇ）前記第１の光センサは受光した照度が高くなると共にカウント値が減少する第１のデジタル照度信号を出力するものであり、且つ、前記第１の制御プログラムは前記第１のデジタル照度信号を処理して第１の制御信号を出力するものであり、
（Ｈ）前記第２の光センサは受光した照度が高くなると共にカウント値が増加する第２のデジタル照度信号を出力するものであり、且つ、前記第２の制御プログラムは前記第２のデジタル照度信号を処理して第２の制御信号を出力するものであり、
（Ｉ）前記第１の制御信号と前記第２の制御信号はいずれも、前記照度が高くなると共に前記照明装置の輝度を高くする信号であり、
（Ｊ）前記第１の光センサの端子の配置と前記第２の光センサの端子の配置は共通であることを特徴とする電子機器の生産方法。
【請求項２】
照明装置を操作するリモコン装置の生産方法であって、
（Ａ）第１の光センサを作製する工程と、
（Ｂ）第２の光センサを作製する工程と、
（Ｃ）制御プログラムが記録されていない記録媒体を有する前記リモコン装置を作製する工程と、
（Ｄ）前記第１の光センサ又は第２の光センサのいずれか一方を前記リモコン装置に取り付ける工程と、
（Ｅ）前記（Ｄ）において、前記第１の光センサが取り付けられた場合に、前記記録媒体に第１の制御プログラムを記録する工程と、
（Ｆ）前記（Ｄ）において、前記第２の光センサが取り付けられた場合に、前記記録媒体に第２の制御プログラムを記録する工程と、を有し、
（Ｇ）前記第１の光センサは受光した照度が高くなると共にカウント値が減少する第１のデジタル照度信号を出力するものであり、且つ、前記第１の制御プログラムは前記第１のデジタル照度信号を処理して第１の制御信号を出力するものであり、
（Ｈ）前記第２の光センサは受光した照度が高くなると共にカウント値が増加する第２のデジタル照度信号を出力するものであり、且つ、前記第２の制御プログラムは前記第２のデジタル照度信号を処理して第２の制御信号を出力するものであり、
（Ｉ）前記第１の制御信号と前記第２の制御信号はいずれも、前記照度が高くなると共に前記照明装置の輝度を高くする信号であり、
（Ｊ）前記第１の光センサの端子の配置と前記第２の光センサの端子の配置は共通であり、
（Ｋ）前記第１の光センサ又は前記第２の光センサが取り付けられた前記リモコン装置によって、前記照明装置の明るさが制御されることを特徴とするリモコン装置の生産方法。
【請求項３】
表示パネルを有し、該表示パネルの画面輝度を、外光照度を検出する光センサによって調節可能とした電子機器であって、
一又は複数の部品メーカーにより供給される光センサの仕様が、高照度になると共にカウント数が増加するデジタル照度信号を出力する光センサと、
低照度になると共にカウント数が増加するデジタル照度信号を出力する光センサとの、
少なくとも二種類がある場合において、
いずれの仕様の光センサをも自由に選択可能とするように、
前記表示パネルを照明する光源部の輝度が外光照度が強くなると共に高くなるように、光源駆動部において、外光照度の増加と共に光源部の輝度が高くなる制御信号を生成するための制御プログラムをインストール可能な記録媒体を備えたことを特徴とする電子機器。
【請求項４】
表示パネルを有し、該表示パネルの画面輝度を、外光照度を検出する光センサによって調節可能とした電子機器であって、
一又は複数の部品メーカーにより供給される光センサの仕様が、高照度になると共にカウント数が増加するデジタル照度信号を出力する第１の光センサと、
低照度になると共にカウント数が増加するデジタル照度信号を出力する第２の光センサとの、
少なくとも二種類がある場合において、いずれの仕様の光センサをも自由に選択可能とするように、前記表示パネルを照明する光源部の輝度が、外光照度が強くなると共に高くなるように、光源駆動部において、外光照度の増加と共に光源部の輝度が高くなる制御信号を生成する制御プログラムを、前記第１の光センサ又は前記第２の光センサの仕様に応じて記録媒体にインストール可能な記録媒体を備えたことを特徴とする電子機器。
【請求項５】
表示パネルを有し、
該表示パネルの画面輝度を、外光照度を検出する光センサによって調節可能とした電子機器であって、部品メーカーにより供給される光センサの仕様が、
低照度になると共にカウント数が増加するデジタル照度信号を出力する光センサであり、その光センサの供給を受ける電子機器のセットメーカーにおいて、
前記表示パネルを照明する光源部の輝度が、外光照度が強くなると共に高くなるように、光源駆動部において、外光照度の増加と共に光源部の輝度が高くなる制御信号を生成する制御プログラムを記録媒体にインストール可能な記録媒体を備えたことを特徴とする電子機器。
【請求項６】
表示パネルを有し、該表示パネルの画面輝度を、外光照度を検出する光センサによって調節可能とした電子機器の生産方法であって、
一又は複数の部品メーカーにより供給される前記光センサの仕様が、
高照度になると共にカウント数が増加するデジタル照度信号を出力する光センサと、
低照度になると共にカウント数が増加するデジタル照度信号を出力する光センサとの、
少なくとも二種類がある場合において、
その異なる仕様の光センサの供給を受ける前記表示装置のセットメーカーにおいて、
前記表示パネルを照明する光源部の輝度が、外光照度が強くなると共に高くなるように、光源駆動部において、外光照度の増加と共に光源部の輝度が高くなる制御信号を生成する制御する制御プログラムを、前記光センサの仕様に応じて記録媒体にインストールすることを特徴とする電子機器の生産方法。
【請求項７】
表示パネルを有し、該表示パネルの画面輝度を、外光照度を検出する光センサによって調節可能とした電子機器の生産方法であって、
一又は複数の部品メーカーにより供給される前記光センサの仕様が、
高照度になると共にカウント数が増加するデジタル照度信号を出力する第１の光センサと、
低照度になると共にカウント数が増加するデジタル照度信号を出力する第２の光センサとの、
少なくとも二種類がある場合において、その異なる仕様の光センサの供給を受ける前記表示装置のセットメーカーにおいて、高照度側の画面輝度を精密に制御したい場合には第１の光センサを選択し、低照度側の画面輝度を精密に制御したい場合には第２の光センサを選択し、そのいずれか一の光センサを選択した場合であっても、前記表示パネルを照明する光源部の輝度が、外光照度が強くなると共に高くなるように、光源駆動部において、外光照度の増加と共に光源部の輝度が高くなる制御信号を生成する制御プログラムを、前記第１の光センサ又は前記第２の光センサの仕様に応じて記録媒体にインストールすることを特徴とする電子機器の生産方法。
【請求項８】
表示パネルを有し、該表示パネルの画面輝度を、外光照度を検出する光センサによって調節可能とした電子機器の生産方法であって、
部品メーカーにより供給される前記光センサの仕様が、
低照度になると共にカウント数が増加するデジタル照度信号を出力する光センサである場合において、
その光センサの供給を受ける前記表示装置のセットメーカーにおいて、
前記表示パネルを照明する光源部の輝度が、外光照度が強くなると共に高くなるように、光源駆動部において、外光照度の増加と共に光源部の輝度が高くなる制御信号を生成する制御プログラムを記録媒体にインストールすることを特徴とする電子機器の生産方法。